【手続補正書】
【提出日】平成28年4月12日(2016.4.12)
【手続補正１】
【補正対象書類名】特許請求の範囲
【補正対象項目名】全文
【補正方法】変更
【補正の内容】
【特許請求の範囲】
【請求項１】
建物内に設置された火災検出センサの感知情報から、当該火災検出センサの設置位置近傍における火災の有無を検出する火災状況判定装置と、
建物内の防火扉の近傍に配置された防火扉センサの感知情報から、前記防火扉センサの開閉状態を判定する防火区画形成状況判定装置と、
防火区画を形成する前記防火扉センサの開閉状態を通知する情報伝達装置と
を有することを特徴とする火災時現場対応支援システム。
【請求項２】
前記情報伝達装置が表示画面を有し、当該表示画面の前記建物の平面図の画像において、前記火災の火災状況及び前記開閉状態に基づき、それぞれの位置における火災の有無及び防火扉の開閉状態の各々を表示することを特徴とする請求項１に記載の火災時現場対応支援システム。
【請求項３】
前記火災状況判定装置による前記火災検出センサの感知情報の判定結果である火災状況、前記防火区画形成状況判定装置による前記防火扉センサの感知情報の判定結果である開閉状況と、火災検出センサ、防火扉センサそれぞれの配置位置との組み合わせから、防災要員の行う災害活動情報を生成する判断処理装置をさらに備え、
前記情報伝達装置が前記災害活動情報を通知する
ことを特徴とする請求項１または請求項２に記載の火災時現場対応支援システム。
【請求項４】
前記情報伝達装置が、前記火災の発生した前記建物内において災害活動を行う防災要員の携帯する携帯表示装置を含む
ことを特徴とする請求項１から請求項３のいずれか一項に記載の火災時現場対応支援システム。
【請求項５】
前記携帯表示装置が、
自身の位置情報と、前記火災検出センサ及び前記防火扉センサの検出情報及び設置位置から前記防災要員の前記火災の発生箇所までの経路データを生成する
ことを特徴とする請求項４に記載の火災時現場対応支援システム。
【請求項６】
建物内に設置された残留者検出センサの感知情報から、当該残留者検出センサの設置位置近傍における残留者の有無を示す残留者状況を判定する残留者状況判定装置をさらに備え、
前記判断処理装置が、前記残留者検出センサの検出情報を含めて、防災要員の行う災害活動情報の生成を行うことを特徴とする請求項３に記載の火災時現場対応支援システム。
【請求項７】
前記判断処理装置が、
前記火災状況、前記開閉状況及び前記残留者状況と火災検出センサ、防火扉センサ及び残留者検出センサそれぞれの配置位置との組み合わせと、前記災害活動情報とが対応して記憶されている災害活動パターンデータベースと、
前記火災状況、前記開閉状況及び前記残留者状況の組み合わせに対応して、前記災害活動パターンデータベースから前記災害活動情報を読み出すデータ判定部と
を備えていることを特徴とする請求項６に記載の火災時現場対応支援システム。
【請求項８】
前記情報伝達装置が表示画面を有し、当該表示画面の前記建物の平面図の画像において、前記火災状況、前記開閉状況及び前記残留者状況に基づき、それぞれの位置における火災の有無、防火扉の開閉状態及び残留者の有無の各々と、前記災害活動情報とを表示する
ことを特徴とする請求項６または請求項７に記載の火災時現場対応支援システム。
【請求項９】
前記判断処理装置が、
前記火災状況、前記開閉状況及び前記残留者状況に基づき、向かうべき活動位置及び当該活動位置までの経路を抽出し、火災状態情報に付加して前記情報伝達装置に対して出力し、
前記情報伝達装置が、
当該表示画面の前記建物の平面図の画像において、向かうべき活動位置及び当該活動位置までの経路を表示する
ことを特徴とする請求項８に記載の火災時現場対応支援システム。
【請求項１０】
前記判断処理装置が、
前記火災検出センサ、前記防火扉センサ及び防火扉、前記残留者検出センサそれぞれが正常に動作するか否かを判定するメンテナンスモードと、
前記火災検出センサ、前記防火扉センサ及び前記残留者検出センサそれぞれのセンサの状態を変更することで、前記情報伝達装置の表示画面に火災、防火区画の防火扉の閉鎖、延焼拡大の状況を模擬的に表示させる訓練モードと、
を実行する機能を有することを特徴とする請求項６から請求項９のいずれか一項に記載の火災時現場対応支援システム。
【請求項１１】
前記メンテナンスモードにおいて、前記防火扉が正常に動作するか否かを判定する際、
前記判断処理装置は、前記防火扉が開放状態から閉鎖までに要した時間を測定し、測定した時間に基づいて、正常か否かを判断することを特徴とする請求項１０に記載の火災時現場対応支援システム。
【請求項１２】
前記訓練モードにおいて、
延焼拡大の状況を模擬的に発生させるための複数の状況パターンから、いずれかの状況パターンを選択し、選択した前記状況パターンに基づいて、模擬的に火災の状況を表示させることを特徴とする請求項１０または請求項１１に記載の火災時現場対応支援システム。
【請求項１３】
前記訓練モードにおいて、
前記防災要員の前記模擬的な火災による訓練終了後、予め設定されている前記防災要員の模範的な消火行動パターンと前記防災要員の実際の消火行動パターンとを比較し、前記防災要員の消火活動の訓練時の行動に対して評価を行うことを特徴とする請求項１０から請求項１２のいずれか一項に記載の火災時現場対応支援システム。
【請求項１４】
火災状況判定装置が、建物内に設置された火災検出センサの感知情報から、当該火災検出センサの設置位置近傍における火災の有無を検出する火災状況判定過程と、
防火区画形成状況判定装置が、建物内の防火扉の近傍に配置された防火扉センサの感知情報から、防火区画を形成する前記防火扉センサの開閉状態を判定する防火区画形成状況判定過程と、
情報伝達装置が、前記防火扉センサの開閉状態を通知する情報伝達過程と
を含むことを特徴とする火災時現場対応支援方法。
【手続補正２】
【補正対象書類名】明細書
【補正対象項目名】０００８
【補正方法】変更
【補正の内容】
【０００８】
本発明の火災時現場対応支援システムは、建物内に設置された火災検出センサの感知情報から、当該火災検出センサの設置位置近傍における火災の有無を検出する火災状況判定装置と、建物内の防火扉の近傍に配置された防火扉センサの感知情報から、前記防火扉センサの開閉状態を判定する防火区画形成状況判定装置と、防火区画を形成する前記防火扉センサの開閉状態を通知する情報伝達装置と を有することを特徴とする火災時現場対応支援システム。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
本発明の火災時現場対応支援システムは、前記情報伝達装置が表示画面を有し、当該表示画面の前記建物の平面図の画像において、前記火災の火災状況及び前記開閉状態に基づき、それぞれの位置における火災の有無及び防火扉の開閉状態の各々を表示することを特徴とする。
本発明の火災時現場対応支援システムは、前記火災状況判定装置による前記火災検出センサの感知情報の判定結果である火災状況、前記防火区画形成状況判定装置による前記防火扉センサの感知情報の判定結果である開閉状況と、火災検出センサ、防火扉センサそれぞれの配置位置との組み合わせから、防災要員の行う災害活動情報を生成する判断処理装置をさらに備え、前記情報伝達装置が前記災害活動情報を通知することを特徴とする。
本発明の火災時現場対応支援システムは、前記情報伝達装置が、前記火災の発生した前記建物内において災害活動を行う防災要員の携帯する携帯表示装置を含むことを特徴とする。
本発明の火災時現場対応支援システムは、前記携帯表示装置が、自身の位置情報と、前記火災検出センサ及び前記防火扉センサの検出情報及び設置位置から前記防災要員の前記火災の発生箇所までの経路データを生成することを特徴とする。
本発明の火災時現場対応支援システムは、建物内に設置された残留者検出センサの感知情報から、当該残留者検出センサの設置位置近傍における残留者の有無を示す残留者状況を判定する残留者状況判定装置をさらに備え、前記判断処理装置が、前記残留者検出センサの検出情報を含めて、防災要員の行う災害活動情報の生成を行うことを特徴とする。
【手続補正５】
【補正対象書類名】明細書
【補正対象項目名】００１６
【補正方法】変更
【補正の内容】
【００１６】
本発明の火災時現場対応支援方法は、火災状況判定装置が、建物内に設置された火災検出センサの感知情報から、当該火災検出センサの設置位置近傍における火災の有無を検出する火災状況判定過程と、防火区画形成状況判定装置が、建物内の防火扉の近傍に配置された防火扉センサの感知情報から、防火区画を形成する前記防火扉センサの開閉状態を判定する防火区画形成状況判定過程と、情報伝達装置が、前記防火扉センサの開閉状態を通知する情報伝達過程とを含むことを特徴とする。